(57)【要約】【課題】本発明は、免震装置用ハーフプレキャストコンクリート基礎に関し、従来の免震装置用基礎では、全体をプレキャスト化して重量があって取り扱いにくいことが課題であって、それを解決することである。【解決手段】免震装置を載置するためのコンクリート製基礎の外殻部であり、全体形状が筒状体であり、杭頭部に載置した状態で内側空間部において接続補強用の凹凸部が内側壁に形成され、上端面が免震基礎天端用に平滑に形成され、前記内側空間部の上方開口部が前記上端面に開口され、前記内側空間部の下方開口部が前記杭頭部よりも大きく開口されており、前記前記免震装置を載置するための基礎の外殻部としてハーフプレキャスト化されている免震装置用ハーフプレキャストコンクリート基礎１とする。【選択図】図１−Ａ
2017166213.tif 000002
【特許請求の範囲】
【請求項１】
免震装置を載置するためのコンクリート製基礎の外殻部であり、全体形状が筒状体であり、杭頭部に載置した状態で内側空間部において接続補強用の凹凸部が内側壁に形成され、型枠で形成時に使用状態で上端面となる面を下面にすることで、当該上端面が免震基礎天端用に平滑に形成され、前記内側空間部の上方開口部が前記上端面に開口され、前記内側空間部の下方開口部が前記杭頭部よりも大きく開口されており、前記基礎の外殻部としてハーフプレキャスト化されている免震装置用ハーフプレキャストコンクリート基礎を形成し、
前記免震装置用ハーフプレキャストコンクリート基礎をその上方開口部を上に配置されるようにして杭頭部に設置し、
少なくとも前記免震装置用ハーフプレキャストコンクリート基礎の内側空間部に、コンクリート打設装置でコンクリートを打設し、
前記杭頭部と前記免震装置用ハーフプレキャスト基礎とが一体化された後、該免震装置用ハーフプレキャストコンクリート基礎の上端面に免震装置を取り付けること、
を特徴とする免震装置用基礎の構築工法。
【請求項２】
免震装置用ハーフプレキャストコンクリート基礎において、内側空間部の上部から上方開口部に至る壁面がテーパ状に形成され、前記上方開口部はコンクリートの内部空間部への打設に必要な大きさにして形成されていること、
を特徴とする請求項１に記載の免震装置用基礎の構築工法。
【請求項３】
免震装置を載置するためのコンクリート製基礎の外殻部であり、全体形状が筒状体であり、杭頭部に載置した状態で内側空間部において接続補強用の凹凸部が内側壁に形成され、上端面が免震基礎天端用に平滑に形成され、前記内側空間部の上方開口部が前記上端面に開口され、前記内側空間部の下方開口部が前記杭頭部よりも大きく開口されており、前記免震装置を載置するための基礎の外殻部としてハーフプレキャスト化されていること、
を特徴とする免震装置用ハーフプレキャストコンクリート基礎。
【請求項４】
内側空間部の上部から上方開口部に至る壁面がテーパ状に形成され、前記上方開口部はコンクリートの内部空間部への打設に必要な大きさにして形成されていること、
を特徴とする請求項３に記載の免震装置用ハーフプレキャストコンクリート基礎。
【発明の詳細な説明】
【技術分野】
【０００１】
本発明は、建物に免震装置を設ける場合において、免震装置を設置する基礎の構築をプレキャスト化して、施工性を高めようとする免震装置用ハーフプレキャストコンクリート基礎と、免震装置用基礎の構築工法に関するものである。
【背景技術】
【０００２】
従来、建物に免震装置を設ける場合、その施工には、図６に示すように、例えば、地盤９を掘って杭頭部２ａの処理を施した後、基礎梁５の鉄筋を配筋し、基礎１４の内側空間部１４ａに鉄筋の配筋を行う。前記基礎梁５の型枠をセットしてその型枠内にコンクリートを打設する。そして、前記基礎１４の上部に免震装置用のボルト、アンカー筋、ベースプレート１４ｂを基礎型枠内にセットし、当該基礎用の型枠内にコンクリートを打設する。その後、前記ベースプレート１４ｂの上に免震装置３を載置して、ボルトを挿着して、前記免震装置３を基礎１４に取り付け固定する、という工法が知られている。
【０００３】
上記従来の工法では、免震装置の取り付けまでに多大な手間が掛かり、必然的に工期も長くなり、コストも嵩むものとなっている。そこで、例えば、従来例１：特許文献１に記載されているように、水平面状の上面を備えた基礎スラブ上に、免震装置を固定するための袋ナットを埋設して形成したプレキャストコンクリート盤を設置して、固定部材で固定して免震基礎構造を構築することで、ベースプレートを不要にし、コスト低減を図り、施工性と品質向上を図る方法が提案されている。
【０００４】
また、従来例２：特許文献２に記載されているように、杭頭部の先端周縁部にプレキャスト製リングが設置され、該リング上には建物の下部構造部材であってプレキャスト化したものを前記リングと一体になるように構成し、前記下部構造部材と上方の構造物との間に免震装置を固定して、杭の設置位置やレベル等の施工精度上のバラツキを防ぎ、免震装置の据え付けを簡略化し、コストおよび工期の低減を達成する構造が提案されている。
【先行技術文献】
【特許文献】
【０００５】
【特許文献１】特開２０１１−０３２７５９号公報
【特許文献２】特開２００８−２３１７９９号公報
【発明の概要】
【発明が解決しようとする課題】
【０００６】
しかし、従来の免震構造において、例えば、従来例１では、プレキャストコンクリート盤を予め構築して設置するが、全体が大きく重量があり、その運搬、設置に手間が掛かり、更に、前記プレキャストコンクリート盤を設置する基礎スラブの上面を精度良く水平面状に仕上げる必要があり、手間が掛かるものである。
【０００７】
また、従来例２では、杭頭部にプレキャストコンクリート製リングを設けて施工するが、現場で捨コンクリート上に杭頭部との接続用の大径孔を有し上面にテンプレートを有したＰＣａ部材を設置して、前記大径孔に中詰めコンクリートを打設している。また、杭頭半固定工法への適用に限られており、杭頭免震工法に適用することが難しい。
【０００８】
前記テンプレートは、プレキャスト（以下、ＰＣａと表記）化によって省略できれば、コンクリート打設用の孔を設ける必要もなくなって部材費・加工費のコスト低減となり、前記ＰＣａ部材の全体形状もコンパクト化すれば更にコスト低減となる。
【０００９】
本発明に係る免震装置用ハーフプレキャストコンクリート基礎と免震装置用基礎の構築工法は、このような課題を解決するために提案されたものである。
【課題を解決するための手段】
【００１０】
本発明に係る免震装置用基礎の構築工法の上記課題を解決して目的を達成するための要旨は、免震装置を載置するためのコンクリート製基礎の外殻部であり、全体形状が筒状体であり、杭頭部に載置した状態で内側空間部において接続補強用の凹凸部が内側壁に形成され、型枠で形成時に使用状態で上端面となる面を下面にすることで、当該上端面が免震基礎天端用に平滑に形成され、前記内側空間部の上方開口部が前記上端面に開口され、前記内側空間部の下方開口部が前記杭頭部よりも大きく開口されており、前記基礎の外殻部としてハーフプレキャスト化されている免震装置用ハーフプレキャストコンクリート基礎を形成し、前記免震装置用ハーフプレキャストコンクリート基礎をその上方開口部を上に配置されるようにして杭頭部に設置し、少なくとも前記免震装置用ハーフプレキャストコンクリート基礎の内側空間部に、コンクリート打設装置でコンクリートを打設し、前記杭頭部と前記免震装置用ハーフプレキャストコンクリート基礎とが一体化された後、該免震装置用ハーフプレキャストコンクリート基礎の上端面に免震装置を取り付けることである。
【００１１】
前記免震装置用ハーフプレキャストコンクリート基礎において、内側空間部の上部から上方開口部に至る壁面がテーパ状に形成され、前記上方開口部はコンクリートの内部空間部への打設に必要な大きさにして形成されていることを含むものである。
【００１２】
本発明に係る免震装置用ハーフプレキャストコンクリート基礎の上記課題を解決して目的を達成するための要旨は、免震装置を載置するためのコンクリート製基礎の外殻部であり、全体形状が筒状体であり、杭頭部に載置した状態で内側空間部において接続補強用の凹凸部が内側壁に形成され、上端面が免震基礎天端用に平滑に形成され、前記内側空間部の上方開口部が前記上端面に開口され、前記内側空間部の下方開口部が前記杭頭部よりも大きく開口されており、前記免震装置を載置するための基礎の外殻部としてハーフプレキャスト化されていることである。
【００１３】
前記内側空間部の上部から上方開口部に至る壁面がテーパ状に形成され、前記上方開口部はコンクリートの内部空間部への打設に必要な大きさにして形成されていることを含むものである。
【発明の効果】
【００１４】
本発明の免震装置用ハーフプレキャストコンクリート基礎と、免震装置用基礎の構築工法によれば、杭頭に直接的に免震装置用ハーフプレキャストコンクリート基礎をセットして、コンクリートを免震装置用ハーフプレキャストコンクリート基礎の内側空間部に打設することで、免震装置用の基礎が完成するので、現場の配筋、取付ボルトの設置、基礎用コンクリートの打設量が半減され、工期が短縮される。
【００１５】
また、免震装置用ハーフプレキャストコンクリート基礎をハーフプレキャスト化したので、免震装置用の基礎天端が平滑で水平な取付面となり、従来の免震装置用のベースプレートが不要となる、と言う優れた効果を奏するものである。
【図面の簡単な説明】
【００１６】
【図１−Ａ】本発明の第１実施例に係る免震装置用基礎の構築工法の概要を示す縦断面図である。
【図１−Ｂ】免震装置用ハーフプレキャストコンクリート基礎１の斜視図である。
【図２】同本発明に係る免震装置用ハーフプレキャストコンクリート基礎１を、杭の杭頭に設置したようすを示す説明用の縦断面図である。
【図３】本発明に係る免震装置用ハーフプレキャストコンクリート基礎１によって免震装置用基礎Ａを構築した後に、免震装置３をセットした状態の縦断面図（Ａ）と、平面図（Ｂ）とである。
【図４】本発明に係る免震装置用ハーフプレキャストコンクリート基礎１を杭頭部２ａに設置する際の、レベル調整の方法を示す説明図（Ａ），（Ｂ）である。
【図５】本発明の第２実施例に係る、免震装置用ハーフプレキャストコンクリート基礎１ｐによる杭頭免震の基礎Ａの構築例を示す縦断面図である。
【図６】従来例に係る免震装置の基礎構築方法を示す縦断面図である。
【発明を実施するための形態】
【００１７】
本発明に係る免震装置用ハーフプレキャストコンクリート基礎１を使用した工法は、図１−Ａに示すように、杭２の杭頭に前記免震装置用ハーフプレキャストコンクリート基礎１を設置して、該免震装置用ハーフプレキャストコンクリート基礎１の内側空間部にコンクリートを打設して、免震装置３用の基礎Ａを構築し、その基礎Ａの平滑な上端面１ｂに免震装置３を設置することで、工期が短縮され、免震ベースプレートが不要となる工法となるものである。
【実施例１】
【００１８】
本発明に係る免震装置用基礎Ａの構築工法に使用する、免震装置用ハーフプレキャストコンクリート基礎１を工場にて形成する。図１−Ａ、図１−Ｂに示すように、免震装置３を載置するためのコンクリート製基礎Ａの外殻部１ａである。
【００１９】
図２に示すように、免震装置用ハーフプレキャストコンクリート基礎１は、全体形状が丸形もしくは角形の筒状体であり、杭頭部２ａに載置した状態で内側空間部１ｃにおいて接続補強用の凹凸部１ｄが内側壁に形成され、上端面１ｂが免震基礎天端用に平滑に形成され、前記内側空間部１ｃの上方開口部１ｅが前記上端面１ｂに開口され、前記内側空間部１ｃの下方開口部１ｆが前記杭頭部２ａよりも大きく開口されている。前記基礎Ａの外殻部１ａとしてハーフプレキャスト化されている。
【００２０】
また、予め、筒状体１ａに、基礎梁用の鉄筋として、上端筋１ｇ、下端筋１ｈが前後・左右に必要に応じて配筋されており、該筒状体１ａ補強用の基礎上端筋１ｊ、基礎下端筋１ｋが配筋されている。
【００２１】
更に、免震装置３固定用のアンカー筋１ｎが所要数、配設されている。なお、前記上端筋１ｇ、下端筋１ｈの端部には、基礎梁５の鉄筋と接続するため、例えば、機械式継手４が設けられるものである。
【００２２】
前記内側空間部１ｃの上部から上方開口部１ｅに至る壁面がテーパ状に形成されている。また、前記上方開口部１ｅは、内側空間部１ｃへのコンクリート打設に必要な、例えば、ホッパーの打設口が挿入できる程度の大きさにして形成されている。
【００２３】
更に、図２に示すように、前記凹凸部１ｄは、内側空間部１ｃの内側壁に限らず、基礎梁５との接続補強のために、外側壁にも設けることが好ましいものである。
【００２４】
前記免震装置用ハーフプレキャストコンクリート基礎１は、工場において製造されるので、図１−Ｂ、図２にて示す、筒状体１ａの上端面１ｂを下側にして型枠を組む。よって、上方開口部１ｃが下向きになり、下方開口部１ｆが上向きになる。前記上端面１ｂが、製造時に型枠底部の床面であるので、免震装置３を直接載置できる平滑な水平面となる。それによって、免震ベースプレートが不要になるものである。
【００２５】
前記内側空間部１ｃの大きさは、例えば、図２に示すように、上端筋１ｇが配筋される位置まで広い空間にして、それからテーパ部１ｍで上方開口部１ｅに致すように、形成しているが、この実施態様に限られるものでは無く、この免震装置用ハーフプレキャストコンクリート基礎１の重量と、現場でのコンクリート打設量などを考慮して、適宜、口径、深さに設定できるものである。
【００２６】
また、一例として、免震装置用ハーフプレキャストコンクリート基礎１の大きさは、縦・横が２０００ｍｍ、高さが２１００ｍｍ程度である。側壁の厚さが１８０ｍｍ、下方開口部１ｆが１６４０ｍｍ程度である。凹凸部１ｄは、深さが３０ｍｍ、横幅が１５００ｍｍ、縦が２００ｍｍである。なお、杭２の口径はφ１２００ｍｍである。
【００２７】
以上のように、本発明に係る免震装置用ハーフプレキャストコンクリート基礎１を、図１−Ｂに示すように形成した後、免震装置用基礎Ａの構築工法について説明する。前記免震装置用ハーフプレキャストコンクリート基礎１を形成した後、図２に示すように、前記免震装置用ハーフプレキャストコンクリート基礎１をその上方開口部１ｅを上に配置されるようにして、杭２の杭頭部２ａに設置する。該杭頭部２ａには杭頭筋の無い、杭頭半固定工法とする。
【００２８】
その際に、図２に示すように、基礎下端と免震装置用ハーフプレキャストコンクリート基礎１の下端面との間にある、レベル調整空間７の隙間（約１００ｍｍ程度）αにおいて、適宜調整手段で免震装置用ハーフプレキャストコンクリート基礎１のレベル調整を行う。該免震装置用ハーフプレキャストコンクリート基礎１の上端面１ｂの水平度を高精度に設定するためである。
【００２９】
前記明細書１のレベル調整には、図４（Ａ），（Ｂ）に示すように行う。例えば、最初の一例として、図４（Ｂ）（１）に示すように、地盤９に捨てコンクリート８を形成する。その捨てコンクリート８の上に、レベル調整用モルタル１０を複数箇所に敷く。
【００３０】
他に、図４（Ｂ）（２）に示すように、捨てコンクリート８に袋ナット１１ａを埋設させておき、調整ボルト１１ｂを前記袋ナット１１ａに差し込んで、ねじ回してレベル調整を行う。また、図４（Ｂ）（３）に示すように、筒状体１ａの下部に袋ナット１１ａを埋設させておき、調整ボルト１１ｂを前記袋ナット１１ａに差し込んで、ねじ回してレベル調整を行うこともできる。
【００３１】
更に、図４（Ｂ）（４）に示すように、筒状体１ａの下面に、クサビ１２を打ち込むことでレベル調整を行う。また、図２に示すように、左右（水平）方向の、杭２の免震装置用ハーフプレキャストコンクリート基礎１に対する施工誤差βは、２００ｍｍ以内に収める。
【００３２】
このように、免震装置用ハーフプレキャストコンクリート基礎１の設置に際して、レベル調整を行い、その後、図１−Ａに示すように、免震装置用ハーフプレキャストコンクリート基礎１の上端筋１ｇ、下端筋１ｈと、基礎梁５の上端筋５ａ、下端筋５ｂとをそれぞれ機械式継手４で接続する。
【００３３】
そして、基礎梁５にコンクリートを打設するとともに、前記設置完了した免震装置用ハーフプレキャストコンクリート基礎１に対して、上方開口部１ｅからホッパーで内側空間部１ｃにコンクリートを打設する。内側空間部１ｃの空気は、テーパ部１ｍもあるので、コンクリート打設の進捗にしたがってスムーズに上方開口部１ｅから抜けてゆく。
【００３４】
なお、コンクリートの打設方法に関しては、免震装置用ハーフプレキャストコンクリート基礎１の下部からコンクリートを圧入し押し上げるようにして、内側空間部１ｃにコンクリートを打設してもよい。
【００３５】
図３に示すように、基礎梁５と免震装置用ハーフプレキャストコンクリート基礎１とに打設した前記コンクリートが、所要の強度を発現した後に、図１−Ａに示すように、免震装装置３を筒状体１ａの平滑な上端面１ｂに載置して、ボルトで免震装置３の下フランジを固定する。
【実施例２】
【００３６】
本発明に係る免震装置用基礎の構築工法の第２実施例は、図５に示すように、基礎梁の無い杭頭免震工法において、免震装置用ハーフプレキャストコンクリート基礎１により、免震装置用基礎Ａを構築する工法である。
【００３７】
この工法においては、免震装置用ハーフプレキャストコンクリート基礎１ｐは、前記免震装置用ハーフプレキャストコンクリート基礎１における、上端筋、下端筋の代わりに、ＰＣ鋼棒１３が設けられる。他は、前記実施例１における免震装置用ハーフプレキャストコンクリート基礎１と同様である。基礎梁との接続が無いからである。このＰＣ鋼棒１３は、ポストテンション方式として、内側空間部１ｃにコンクリートが打設されて強度発現した後に、張力を負荷するようにするのが、施工上好ましい。なお、プレテンション方式としても良い。
【００３８】
この第２実施例では、杭頭部２ａに免震装置用ハーフプレキャストコンクリート基礎１ｐをセットし、図４で説明したことと同様のレベル調整を行い、内側空間部１ｃにコンクリートを打設する。前記ＰＣ鋼棒１３に張力を負荷する。基礎Ａが完成した後に、免震装置３を、免震装置用ハーフプレキャストコンクリート基礎１ｐの上端面１ｂに載置する。
【００３９】
このように、免震装置用の基礎Ａが完成するので、作業工程が少なく、従来に比べて工期が短縮される。また、平滑な上端面１ｂがあることで、免震用ベースプレートを省略できる。
【産業上の利用可能性】
【００４０】
本発明に係る免震装置用ハーフプレキャストコンクリート基礎と免震装置用基礎の構築工法によれば、杭頭部に免震装置を設置する工程が短縮され、免震装置を設置する建物に広く適用できるものである。
【符号の説明】
【００４１】
１          免震装置用ハーフプレキャストコンクリート基礎、
１ａ        筒状体（外殻部）、
１ｂ        上端面、                              １ｃ    内側空間部、
１ｄ        凹凸部、                              １ｅ    上方開口部、
１ｆ        下方開口部、                          １ｇ    上端筋、
１ｈ        下端筋、                              １ｊ    基礎上端筋、
１ｋ        基礎下端筋、                          １ｍ    テーパ部、
１ｎ        アンカー筋、  
１ｐ        第２実施例の免震装置用ハーフプレキャストコンクリート基礎、    
２          杭、                                  ２ａ    杭頭部、
２ｂ        杭主筋、                              ２ｃ    杭頭筋、                                  
３          免震装置、
４          機械式継手、
５          基礎梁、                              ５ａ    上端筋、
５ｂ        下端筋、
６          １階梁、
７          レベル調整空間、
８          捨てコンクリート、
９          地盤、
１０        レベル調整用モルタル、
１１ａ      袋ナット、                          １１ｂ      調整ボルト、
１２        クサビ、
１３        ＰＣ鋼棒、
１４        基礎、                              １４ａ      内側空間部、
１４ｂ      免震装置用ベースプレート。
【図１−Ａ】
2017166213.tif 000003
【図１−Ｂ】
2017166213.tif 000004
【図２】
2017166213.tif 000005
【図３】
2017166213.tif 000006
【図４】
2017166213.tif 000007
【図５】
2017166213.tif 000008
【図６】
2017166213.tif 000009